(57)【要約】  【課題】従来の空気調和機の構造を流用し、筐体を大型化することなく、かつ低コストで左右吹き出し構造を提供する。  【解決手段】空気調和機の室内機の吹出口３に連通する左右吹出口３０を設けると共に、吹出口３に複数の左右風向板５と上下風向板４とを設け、回転軸２２ａを挿通すると共に、ステッピングモータ２２が固定されたリブ１０ｃがリアガイダ１０から立設する。この回転軸２２ａに連結板２１の一方の端を固定し、連結板２１の他方の端にステッピングモータ２３を固定し、このステッピングモータ２３の回転軸２３ａに、上下風向板４の内面から立設されたリブ４ｃを固定した構造にする。そして、上下風向板４で吹出口３を閉塞させて、左右吹出口３０から左右へ送風を行なう。【選択図】図１
2006002984.tif 000002
【特許請求の範囲】
【請求項１】
吸込口と吹出口とを備えた本体と、同本体内の前記吸込口と前記吹出口とを結ぶ空気通路内に配置された送風ファン及び熱交換器と、前記吹出口に配置され、吹出風向を上下に偏向すると共に前記吹出口を開閉する上下風向板と吹出風向を左右に偏向する複数の左右風向板とを備えた空気調和機において、
前記本体の少なくとも一側に、前記吹出口に連通する左右吹出口を設けてなることを特徴とする空気調和機。
【請求項２】
前記上下風向板が前記吹出口を閉塞することにより、前記左右吹出口から送風してなることを特徴とする請求項１記載の空気調和機。
【請求項３】
前記左右風向板を同一方向、または、逆方向に向けることにより、右もしくは左、または、左右同時に前記左右吹出口から送風してなることを特徴とする請求項１または請求項２に記載の空気調和機。
【発明の詳細な説明】
【技術分野】
【０００１】
本発明は、空気調和機の室内機の送風構造に関し、より詳細には、前方への送風に加わえて左右へも送風可能な構造を備えた空気調和機に関する。
【背景技術】
【０００２】
従来、間接的な空調を目的とする左右へ送風可能な空気調和機としては、例えば図３と図４に示す構造のものがあった。図３は空気調和機の室内機を示す外観斜視図であり、また図４（Ａ）は上面からの断面図であり、図４（Ｂ）は前面からの断面図である。
【０００３】
この空気調和機８１は、前面が開放されたベース８２と、同ベース８２の開放された前面に装着される前面パネル８３とで本体を構成し、同本体の前面上部に前面吸込口８４を、上面に上面吸込口８５を設け、前面下部に複数の上下風向板８６ａを備えた主吹出口８６を設けている。
【０００４】
本体の左右両側角部は傾斜面として形成され、右側の傾斜面には複数の左右風向板８７ａを備え、縦長状に形成された補助吹出口８７が設けられ、また左側の傾斜面にも複数の左右風向板８８ａを備え、縦長状に形成された補助吹出口８８が設けられている。また本体の右側下面には、リモートコントローラーからの信号を受信する受光センサ８９ａを備えた受光部８９が設けられている。
【０００５】
前面吸込口８４及び上面吸込口８５と、吹出口８６、補助吹出口８７及び補助吹出口８８とを結ぶ空気通路には、垂直部９０ａと、同垂直部９０ａの上端を折曲して後方に傾斜させた後方傾斜熱交換器９０ｂと、同後方傾斜熱交換器９０ｂの上端を折曲して下方に傾斜させた下方傾斜熱交換器９０ｃとからなる熱交換器９０と、同熱交換器９０により熱交換された空気を吹出口８６から室内に送出する主送風ファン９１が設けられるとともに、補助送風ファン９２ａ及び９２ｂとが設けられている。
【０００６】
補助送風ファン９２ａは、補助吹出口８７に臨むように、縦方向に配置されたクロスフローファンからなり、ベース８２の内壁に前方に向けて上下に立設された一対のリブ９６ａとリブ９７ａとにより支持されている。リブ９６ａの先端部下面には補助送風ファン９２ａを駆動するモータ９３ａが取付けられており、同モータ９３ａには補助送風ファン９２ａの軸の上端が連結される一方、下端はリブ９７ａに設けられた軸受部に軸支されている。
【０００７】
補助送風ファン９２ｂも、補助送風ファン９２ａと同様に、縦方向に配置されたクロスフローファンからなり、ベース８２の内壁に前方に向けて上下に立設された一対のリブ９６ｂとリブ９７ｂとにより支持されている。リブ９６ｂの先端部下面には補助送風ファン９２ｂを駆動するモータ９３ｂが取付けられており、同モータ９３ｂには補助送風ファン９２ｂの軸の上端が連結される一方、下端はリブ９７ｂに設けられた軸受部に軸支されている。
【０００８】
また、補助送風ファン９２ａと熱交換器９０との間には、前面吸込口８４及び上面吸込口８５から吸込まれ、熱交換器９０により熱交換された空気の一部を補助送風ファン９２ａに案内する右側前方案内板９４ａと，右側後方案内板９５ａとが前後に一対となって配設されており、また、補助送風ファン９２ｂと熱交換器９０との間にも熱交換器９０により熱交換された空気の一部を補助ファン９２ｂに案内する左側前方案内板９４ｂと，左側後方案内板９５ｂとが前後に一対となって配設されている。
【０００９】
また、補助吹出口８７に備えられた左右風向板８７ａは、補助送風ファン９２ａから送出された空気の向きを偏向するとともに、補助吹出口８７を閉鎖できるようになっており、同様に、補助吹出口８８に備えられた左右風向板８８ａも、補助送風ファン９２ｂから送出された空気の向きを偏向するとともに、補助吹出口８７を閉鎖できるようになっている。
【００１０】
次に、空気調和機８１の動作について説明をする。主吹出口８６からの送風のみを行いたい場合は、リモートコントローラにより受光部８９にその旨の信号を送出する。信号を受信した空気調和機８１は、左右風向板８７ａ及び左右風向板８８ａとにより補助吹出口８７及び補助吹出口８８とを閉鎖する一方、主送風ファン９１のみを起動させ、補助送風ファン９２ａと補助送風ファン９２ｂとは停止状態を維持する。これにより主吹出口８６から前方に向けて冷風あるいは温風が送出されるようになっている。
【００１１】
左右方向の広い範囲に送風を行いたい場合は、リモートコントローラにより受光部８９にその旨の信号を送出する。信号を受信した空気調和機８１は、左右風向板８７ａ及び左右風向板８８ａとを回動させ、補助吹出口８７及び補助吹出口８８とを開放するとともに、主送風ファン９１、補助送風ファン９２ａ及び補助送風ファン９２ｂとを起動させる。これにより主吹出口８６からは前方に、補助吹出口８７及び補助吹出口８８とからは左右方向の広い範囲に向けて冷風あるいは温風が送出されるようになっている（例えば、特許文献１参照。）。
【００１２】
しかしながら、左右に送風するために、空気調和機の左右に専用の補助送風ファン及びモータと左右風向板とが必要であり、空気調和機の筐体が大型化するだけでなく、非常にコストが増加し実用に耐えないものであった。
【００１３】
【特許文献１】特開２００２−１３０７１８号公報（第３頁、図３）
【発明の開示】
【発明が解決しようとする課題】
【００１４】
本発明は以上述べた問題点を解決し、従来の空気調和機の構造を流用し、筐体を大型化することなく、かつ低コストで左右吹き出し構造を提供することを目的とする。
【課題を解決するための手段】
【００１５】
本発明は上述の課題を解決するため、吸込口と吹出口とを備えた本体と、同本体内の前記吸込口と前記吹出口とを結ぶ空気通路内に配置された送風ファン及び熱交換器と、前記吹出口に配置され、吹出風向を上下に偏向すると共に前記吹出口を開閉する上下風向板と吹出風向を左右に偏向する複数の左右風向板とを備えた空気調和機において、
前記本体の少なくとも一側に、前記吹出口に連通する左右吹出口を設ける。
【００１６】
また、前記上下風向板が前記吹出口を閉塞することにより、前記左右吹出口から送風する構造にする。
【００１７】
また、前記左右風向板を同一方向、または、逆方向に向けることにより、右もしくは左、または、左右同時に前記左右吹出口から送風する構造にする。
【発明の効果】
【００１８】
以上の手段を用いることにより、本発明による空気調和機によれば、
請求項１に係わる発明は、本体の少なくとも一側に、吹出口に連通する左右吹出口を設けることにより、通常の前方への吹き出しに加えて、左右方向への吹き出しが簡単な構造で、かつ安価に実現できる。また、左右方向への吹き出しにより室内の広い範囲を間接的に空調でき、冷房運転時の冷風が直接人体に当たらないため不快感を低減できる。
【００１９】
請求項２に係わる発明は、上下風向板が前記吹出口を閉塞することにより、前記左右吹出口から送風する構造にすることにより、前方へ向かう風を左右吹出口に導くことができる。また、前方から左右への吹出口を切り替えるためのダンパを上下風向板で兼用することになり、構造が簡単で、かつ安価である。
【００２０】
請求項３に係わる発明は、左右風向板を同一方向、もしくは、逆方向に向けることにより、右もしくは左、または、左右同時に左右吹出口から送風する構造にすることにより、前方へ向かう風を左右吹出口にスムースに導くことができる。また、左右同時に送風する、または、左右のいずれか一方向に強力な送風を行なうことができ、室内の状況に適応して、最適な間接空調を行なうことができる。
【発明を実施するための最良の形態】
【００２１】
以下、本発明の実施の形態を、添付図面に基づいた実施例として詳細に説明する。
【実施例１】
【００２２】
図１は本発明による空気調和機を示す断面図であり、（Ａ）は側断面図、（Ｂ）は上面から見た説明図であり、熱交換器とクロスフローファンとの一部を切取り、風向板の構造を見易くしたものである。
本発明の大きな特徴は図１（Ｂ）に示すように、空気調和機の本体の左右に、本体の側面を切り欠いて形成すると共に、吹出口３に連通する吹出口３０を設けたことにある。従って通常の前方への吹き出しに加えて、上下風向板を閉じることによる左右方向への吹き出しが可能となっている。このため、前方から左右への吹出口を切り替えるためのダンパを上下風向板で兼用することになり、構造が簡単でかつ安価な空気調和機にできる。もちろん、本体の左、もしくは右側面のみに吹出口３０を設けてもよい。
【００２３】
この空気調和機は図１（Ａ）に示すように、正面側が開放されたベース１と、同ベース１の開放された前面に装着される前面パネル２とで本体を構成し、本体の正面上部に前面吸込口１１を、上面に上面吸込口１２を設け、正面下部に吹出口３を設けている。前面吸込口１１及び上面吸込口１２と、吹出口３とを結ぶ空気通路には、垂直部６ａと、同垂直部６ａの上端を折曲して後方に傾斜させた後方傾斜熱交換器６ｂと、同後方傾斜熱交換器６ｂの上端を折曲して下方に傾斜させた下方傾斜熱交換器６ｃとからなる熱交換器６と、同熱交換器６により熱交換された空気を室内に送出する、クロスフローファンからなる送風ファン７とが設けられている。
【００２４】
吹出口３には、複数の左右風向板５と、上下風向板４とが設けられており、左右風向板５により室内に送出される空気の左右方向の向きを偏向するとともに、上下風向板４により上下方向の向きを偏向するようになっている。
【００２５】
また、等間隔で平行に配置された複数の左右風向板５は、空気調和機を正面から見た場合に左右に独立した左右風向板群８を構成しており、この左右風向板群８を独立して左右に偏向させるためのモータ９がリアガイダ１０の下方にそれぞれ配置されている。
【００２６】
一方、上下風向板４の、吹出口３の前方に位置する内面には、空気調和機の内部に向かうと共に、回動軸４ｂを備えた複数のリブ４ａが立設されており、この回動軸４ｂは連結板２０の一方の端に軸支されている。また、リアガイダ１０には、空気調和機の外部に向かうと共に、回動軸１０ｂを備えた複数のリブ１０ａが立設され、この回動軸１０ｂは連結板２０の他方の端に軸支されている。
【００２７】
そして、空気調和機を正面から見た場合にほぼ中央となる位置に、回転軸２２ａを挿通すると共にステッピングモータ２２が固定されたリブ１０ｃがリアガイダ１０から立設されており、この回転軸２２ａには連結板２１の一方の端が固定されている。また、連結板２１の他方の端にはステッピングモータ２３が固定され、このステッピングモータ２３の回転軸２３ａには、上下風向板４の内面から立設されたリブ４ｃが固定されている。
【００２８】
従って、この上下風向板４は、ステッピングモータ２２とステッピングモータ２３とによる２つの回動軸を備えており、所謂２軸駆動が可能となっている。これは、冷房運転時に駆動するステッピングモータ２２と、暖房運転時に駆動するステッピングモータ２３とをそれぞれ専用に設けることにより、それぞれの運転で最適な上下風向板４の角度制御を行なうためである。
【００２９】
次に本発明の動作を図２を用いて詳細に説明する。図２は本発明による送風を説明する説明図であり、（Ａ）は左右吹き出し時の室内機斜視図、（Ｂ）はその時の上下風向板の状態を示す側断面図、（Ｃ）は下方吹き出し時の室内機斜視図、（Ｄ）はその時の上下風向板の状態を示す側断面図、（Ｅ）は前方吹き出し時の室内機斜視図、（Ｆ）はその時の上下風向板の状態を示す側断面図である。
【００３０】
図２（Ａ）及び図２（Ｂ）は左右に吹き出す場合を示している。この場合、上下風向板４を運転停止時と同じ位置、つまり、吹出口３を閉塞する位置になるようにステッピングモータ２２とステッピングモータ２３とを回動させ、冷房や暖房運転を通常通りに行なう。この場合、従来であれば吹出口３の前方へ送風されるべき空気が上下風向板４の閉塞により妨げられ、左右の吹出口３０から吹き出される。なおこの時、図１（Ｂ）に示すように、左右風向板群８の左右風向板５は、それぞれ右、又は左の方向へ回動されており、吹出空気がスムースにそれぞれの吹出口３０へ導かれるようになっている。
【００３１】
このように前方からでなく、左右から吹き出すことにより、室内を間接的に空調できる。特に冷房運転時には冷風が直接人体に当たらないので、冷えすぎによる不快感を低減できる。また、従来の空気調和機の構造と比べて左右の吹出口３０が追加されたのみであり、図４の左右吹き出し構造を備えた空気調和機に比べて、非常に簡単かつ安価に構成できる。
【００３２】
さらに、２つの左右風向板群８の左右風向板５が反対の向き、つまり、左右に分かれて回動することができるため、吹出空気がスムースにそれぞれの吹出口３０へ導かれるようになっている。
また、２つの左右風向板群８の左右風向板５を同じ向き、つまり、左又は右の一方に揃えて回動することにより、左右のいずれか一方向に強力な送風を行なうことができ、室内の状況に適応して、最適な間接空調を行なうことができる。
【００３３】
図２（Ｃ）及び図２（Ｄ）は、従来と同じように暖房運転時に、下方に吹き出す場合を示している。この場合、ステッピングモータ２３を回動させ、上下風向板４を下方に向ける。
【００３４】
図２（Ｅ）及び図２（Ｆ）は、従来と同じように冷房運転時に、前方に吹き出す場合を示している。この場合、ステッピングモータ２２を回動させ、上下風向板４を前方にに向ける。
【００３５】
なお、図示しないが、左右に吹き出す場合、上下風向板４を完全に閉塞しないで、やや開放しておくことにより、前方への吹き出しと、左右への吹き出しを同時に行なうことができ、室内の広い範囲を空調することができる。
また、この実施例での左右の吹出口３０は切欠による透孔であるが、デザイン性を考慮してスリットを備えたグリル（図示せず）を装着してもよい。
また、この実施例では上下風向板を２軸駆動の構造としているが、これに限るものでなく、１軸駆動であっても、また、複数の上下風向板であってもよい。
【図面の簡単な説明】
【００３６】
【図１】本発明による空気調和機の実施例を示す断面図であり、（Ａ）は側断面図、（Ｂ）は上面から見た説明図である。
【図２】本発明による送風を説明する説明図であり、（Ａ）は左右吹き出し時の室内機斜視図、（Ｂ）はその時の上下風向板の状態を示す側断面図、（Ｃ）は下方吹き出し時の室内機斜視図、（Ｄ）はその時の上下風向板の状態を示す側断面図、（Ｅ）は前方吹き出し時の室内機斜視図、（Ｆ）はその時の上下風向板の状態を示す側断面図である。
【図３】従来の空気調和機を示す外観斜視図である。
【図４】従来の空気調和機の構造を示す、（Ａ）は上面からの断面図であり、（Ｂ）は前面からの断面図である。
【符号の説明】
【００３７】
１  ベース
２  前面パネル
３  吹出口
４  上下風向板
４ａ  リブ
４ｂ  回動軸
４ｃ  リブ
５  左右風向板
６  熱交換器
６ａ  垂直部
６ｂ  後方傾斜熱交換器
６ｃ  下方傾斜熱交換器
７  送風ファン
８  左右風向板群
９  モータ
１０  リアガイダ
１０ａ  リブ
１０ｂ  回動軸
１０ｃ  リブ
１１  前面吸込口
１２  上面吸込口
２０  連結板
２１  連結板
２２  ステッピングモータ
２２ａ  回転軸
２３  ステッピングモータ
２３ａ  回転軸
３０  吹出口（左右吹出口）
【図１】
2006002984.tif 000003
【図２】
2006002984.tif 000004
【図３】
2006002984.tif 000005
【図４】
2006002984.tif 000006